(57)【要約】【課題】フレキシブルプリント基板と受光素子との接続部にかかる応力を低減させて受光素子の位置ずれを防ぐとともに放熱特性を向上させ、信頼性の高い光ピックアップを提供する。【解決手段】受光素子４１と、受光素子４１を保持する受光素子ホルダー４２と、一方の端部が二股に分岐したフレキシブルプリント基板４３とを備え、フレキシブルプリント基板４３の二股に分岐した端部４３ａ、４３ｂを受光素子４１を挟むように受光素子４１の側面４１ａ、４１ｂに対向させて接続する。【選択図】図１
2010186519.tif 000002
【特許請求の範囲】
【請求項１】
受光素子と、前記受光素子を保持する受光素子ホルダーと、一方の端部が二股に分岐したフレキシブルプリント基板とを備え、前記フレキシブルプリント基板の二股に分岐した端部を受光素子の側面に対向させて接続したことを特徴とする光ピックアップ。
【請求項２】
前記受光素子の背面を、前記受光素子ホルダーにより接合保持していることを特徴とする請求項１に記載の光ピックアップ。
【発明の詳細な説明】
【技術分野】
【０００１】
本発明は、光学式情報記録媒体に情報信号を記録もしくは再生するための光ピックアップに関する。
【背景技術】
【０００２】
光学式情報記録媒体である光ディスク等にオーディオ信号、文字信号および映像信号等の情報を記録または再生する光学式情報記録再生装置には、光ピックアップが搭載されている。光ピックアップは主に、レーザー光を発する光源と、レーザー光の反射光を受光する光検出器とから構成されている。光ピックアップの光源から放射されるレーザー光が光ディスク等の情報記録面に照射されることで記録マークが記入され情報の記録が行われる。また、光ピックアップの光源から情報記録面に照射されたレーザー光の反射光を光ピックアップの光検出器で受光することで情報の再生が行われる。
【０００３】
従来の光ピックアップについて図４から図６を用いて説明する。図４は従来の光ピックアップ１０の構成を示す平面図である。図４に示すように、光ピックアップ１０は、光学基台１１と、光学基台１１に支持された光軸調整台１２と、光軸調整台１２に内包され半導体レーザー素子（図示せず）を備える光学パッケージ１３と、半導体レーザー素子からの出射光と光ディスクからの反射光とを分離するビームスプリッター１４と、半導体レーザー素子から出射されたレーザー光を平行光にするコリメーターレンズ１５と、コリメーターレンズ１５を通り立上げミラー（図示せず）により上方に折り曲げられたレーザー光を光ディスクの情報記録面に焦点を合わせるための対物レンズ１７と、対物レンズ１７を光ディスクに対してフォーカス方向またはトラッキング方向に駆動させるアクチュエーター１８と、光ディスクで反射したレーザー光２３ａを検出する受光部２０を備えている。受光部２０は受光素子２１と、受光素子２１を保持して光学基台１１に実装する受光素子ホルダー２２を備えている。光学基台１１は２本のシャフト１９に貫通され、軸方向に移動が可能である。
【０００４】
光ピックアップ１０を組み立てるときは、光軸調整台１２を用いて、光軸調整台１２の内部に設置されている半導体レーザー素子の光軸を調整した後、光軸調整台１２を光学基台１１に固定する。さらに光ディスクで反射したレーザー光２３ａの光軸を受光素子２１の所望の箇所に入射するように受光素子ホルダー２２の位置を調整した後、受光素子ホルダー２２を光学基台１１に固定する。
【０００５】
図５は従来の光ピックアップ１０の受光部２０の構成を示す斜視図であり、図６は図５におけるＡ−Ａ断面図である。図５、図６に示すようにレーザー光２３ａを受光する受光素子２１を保持した受光素子ホルダー２２は、接着剤２４により光学基台１１に固定されている。受光素子２１の背面にはフレキシブルプリント基板２６の端部がハンダ２５により接続されている。フレキシブルプリント基板２６の他端は光学基台１１に実装されている。ここでフレキシブルプリント基板２６は、光学基台１１と受光素子２１とを接続するために直角に折り曲げられている。また特許文献１には同様にフレキシブルプリント基板が直角に折り曲げられて受光素子の前面に接続されている構成が示されている。
【特許文献１】特開２００５−３３９７０９号公報
【発明の開示】
【発明が解決しようとする課題】
【０００６】
しかしながら前述の従来例や特許文献１に示した従来の光ピックアップ１０ではフレキシブルプリント基板２６が受光素子２１の背面または前面に直角に折り曲げられた片持ち構造で固定されており、図６において矢印２７で示すようにフレキシブルプリント基板２６に曲げモーメントが発生して受光素子２１のハンダ接続部に垂直方向の大きな応力がかかる構造になっている。このため受光素子２１を微小に移動させる光軸調整時において調整残差が発生し、時間の経過とともに位置ずれを起こすという課題がある。また動作時においても温度変化によりフレキシブルプリント基板２６の応力が変動して性能が低下するという課題がある。さらに受光素子２１の背面がフレキシブルプリント基板２６で覆われているため放熱が充分でなく特性が不安定になるという課題もある。
【０００７】
本発明は上記課題を解決するためになされたもので、フレキシブルプリント基板と受光素子との接続部にかかる応力を低減させて受光素子の位置ずれを防ぐとともに放熱特性を向上させ、信頼性の高い光ピックアップを提供することを目的とする。
【課題を解決するための手段】
【０００８】
上述の目的を達成するために、本発明の光ピックアップは、受光素子と、受光素子を保持する受光素子ホルダーと、一方の端部が二股に分岐したフレキシブルプリント基板とを備え、フレキシブルプリント基板の二股に分岐した端部を受光素子の側面に対向させて接続したことを特徴としている。
【０００９】
このような構成によれば、受光素子が対向するフレキシブルプリント基板により両持ち構造で固定されているので、フレキシブルプリント基板と受光素子との接続部に発生する垂直方向の応力を相殺して大きく低減することができ、受光素子の位置ずれを防いで信頼性の高い光ピックアップを実現することができる。
【００１０】
また、受光素子の背面を、受光素子ホルダーにより接合保持してもよい。このような構成によれば、受光素子の熱を高効率に受光素子ホルダーに放熱させることが可能となり、さらに信頼性を向上させることができる。
【発明の効果】
【００１１】
本発明の光ピックアップによれば、フレキシブルプリント基板と受光素子との接続部に発生する垂直方向の応力を大きく低減することで受光素子の位置ずれを防ぐとともに放熱特性を向上させ、信頼性の高い光ピックアップを実現することができる。
【発明を実施するための最良の形態】
【００１２】
以下、本発明の実施の形態について、図面を参照しながら説明する。
【００１３】
（実施の形態）
本発明の実施の形態における光ピックアップについて図１から図３を用いて説明する。図１から図３において、図４から図６と同じ構成部については同じ符号を用いる。
【００１４】
図３は本発明の実施の形態における光ピックアップ１とそれを用いた光学式情報記録再生装置の全体構成を示す斜視図である。ここで光ピックアップ１内部の光学部品は位置関係を分かりやすくするために実線で表示している。
【００１５】
図３において、光学式ディスクドライブである記録再生装置３０は、トラバースベース３１と、トラバースベース３１上に設置された駆動台３２と、駆動台３２に固定された２本のシャフト３３ａ、３３ｂと、２本のシャフト３３ａ、３３ｂに貫通され軸方向に移動可能に構成された光ピックアップ１と、トラバースベース３１に設置されたスピンドルモーター３４と、スピンドルモーター３４により回転するモーターシャフト３５とを備えている。モーターシャフト３５の端部はカートリッジ３６に内蔵された光ディスク３７の中心部に連結されていて、スピンドルモーター３４の回転により光ディスク３７が回転する構成となっている。光ディスク３７はカートリッジ３６により保護されているが、カートリッジ３６には開口部３６ａが形成されていて、開口部３６ａでは光ディスク３７が外部に露呈されている。
【００１６】
光ピックアップ１は、光学基台１１と、光学基台１１に支持された半導体レーザー素子（図示せず）を内包する光学パッケージ１３と、半導体レーザー素子からの出射光と光ディスク３７からの反射光とを分離するビームスプリッター１４と、半導体レーザー素子から出射されたレーザー光を平行光にするコリメーターレンズ１５と、コリメーターレンズ１５を通り立上げミラー１６により上方に折り曲げられたレーザー光を光ディスク３７の情報記録面に焦点を合わせるための対物レンズ１７と、対物レンズ１７を光ディスク３７に対してフォーカス方向またはトラッキング方向に駆動させるアクチュエーター１８と、光ディスク３７で反射したレーザー光２３ａを検出し光学基台１１に実装される受光部４０とを備えている。
【００１７】
駆動台３２に固定された２本のシャフト３３ａ、３３ｂのうちの１つのシャフト３３ａは、光ピックアップ１のベースとなる光学基台１１を軸方向に案内するもので、もう１つのシャフト３３ｂは、支持台のモーター３８により、その軸を中心として回転する構成となっている。シャフト３３ｂには光学基台１１に係合する送りネジが形成されておりシャフト３３ｂが回転することで、光ピックアップ１が光ディスク３７の半径方向に移動する。
【００１８】
光ディスク３７の回転をスピンドルモーター３４で調整し、光ピックアップ１を光ディスク３７の半径方向に移動することで、対物レンズ１７から出射されるレーザー光２３ｂを、光ディスク３７の情報記録面における所望の位置に照射することができる。レーザー光２３ｂを、光ディスク３７の情報記録面に照射することで光ディスク３７に記録マークを記入し情報の記録を行う。また、レーザー光２３ｂを情報記録面に照射し、これから反射したレーザー光２３ａを受光部４０で検出することにより情報の再生を行う。
【００１９】
図１は本発明の実施の形態における光ピックアップ１の受光部４０の実装状態を示す分解斜視図であり、図２は図１におけるＢ−Ｂ断面図である。図１、図２において、受光部４０は光ディスク３７で反射したレーザー光２３ａを受光する受光素子４１と、受光素子４１を保持する受光素子ホルダー４２と、一方の端部が二股に分岐したフレキシブルプリント基板４３とを備えている。図１において構成を分かりやすくするため受光素子ホルダー４２は分解して示している。フレキシブルプリント基板４３の二股に分岐した端部４３ａ、４３ｂは、受光素子４１を挟むように受光素子４１の側面４１ａ、４１ｂに対向して接続されている。受光素子４１の側面４１ａ、４１ｂは配線４５を介して受光素子４１の受光面４１ｃと接続されている。ここで受光素子４１は対向して配置されたフレキシブルプリント基板４３の端部４３ａ、４３ｂにより両持ち構造で固定されており、フレキシブルプリント基板４３と受光素子４１との接続面に垂直方向に発生する応力を相殺する構造になっている。このことで接続部に発生する垂直方向の応力を大幅に低減することができ、光軸調整や温度変化による応力変動の影響を抑え、受光素子４１の位置ずれを防いで信頼性の高い光ピックアップ１を実現することができる。
【００２０】
また本実施の形態では、フレキシブルプリント基板４３を受光素子４１の側面４１ａ、４１ｂに接続することにより受光素子４１の背面が開放されるので、受光素子４１の背面を受光素子ホルダー４２により直接接触して保持することが可能となる。これにより受光素子４１と受光素子ホルダー４２との接触面積が大きくなり、受光素子４１に発生した熱を効率的に受光素子ホルダー４２の矢印４４の方向に放熱することで、さらに光ピックアップ１の信頼性を向上させることができる。
【００２１】
このように本発明の光ピックアップによれば、フレキシブルプリント基板と受光素子との接続部に発生する垂直方向の応力を大きく低減することで受光素子の位置ずれを防ぐとともに放熱特性を向上させ、信頼性の高い光ピックアップを実現することができる。
【産業上の利用可能性】
【００２２】
本発明の光ピックアップは、フレキシブルプリント基板と受光素子との接続部にかかる応力を低減させて受光素子の位置ずれを防ぐとともに放熱特性を向上させ、高い信頼性を有するので、大容量の記録媒体からの読み出しや、高倍速記録を行う光学式情報記録再生装置等に有用である。
【図面の簡単な説明】
【００２３】
【図１】本発明の実施の形態における光ピックアップの受光部の実装状態を示す分解斜視図
【図２】図１におけるＢ−Ｂ断面図
【図３】本発明の実施の形態における光ピックアップとそれを用いた光学式情報記録再生装置の全体構成を示す斜視図
【図４】従来の光ピックアップの構成を示す平面図
【図５】従来の光ピックアップの受光部の構成を示す斜視図
【図６】図５におけるＡ−Ａ断面図
【符号の説明】
【００２４】
１，１０    光ピックアップ
１１    光学基台
１２    光軸調整台
１３    光学パッケージ
１４    ビームスプリッター
１５    コリメーターレンズ
１６    立上げミラー
１７    対物レンズ
１８    アクチュエーター
１９，３３ａ，３３ｂ    シャフト
２０，４０    受光部
２１，４１    受光素子
２２，４２    受光素子ホルダー
２３ａ    （光ディスクで反射した）レーザー光
２３ｂ    （対物レンズから出射される）レーザー光
２４    接着剤
２５    ハンダ
２６，４３    フレキシブルプリント基板
２７    矢印
３０    記録再生装置
３１    トラバースベース
３２    駆動台
３４    スピンドルモーター
３５    モーターシャフト
３６    カートリッジ
３６ａ    （カートリッジの）開口部
３７    光ディスク
３８    モーター
４１ａ，４１ｂ    （受光素子の）側面
４１ｃ    受光面
４３ａ，４３ｂ    （二股に分岐したフレキシブルプリント基板の）端部
４４    矢印
４５    配線
【図１】
2010186519.tif 000003
【図２】
2010186519.tif 000004
【図３】
2010186519.tif 000005
【図４】
2010186519.tif 000006
【図５】
2010186519.tif 000007
【図６】
2010186519.tif 000008